(57)【要約】【課題】ＣＤの再生とリッピングを同時に行う際に、原音再生を行いつつ、高速にリッピングすることができ、さらに光ピックアップのロングサーチを少なくする。【解決手段】光ディスク再生装置１でＣＤ１３の原音再生とリッピングを同時に行う際に、原音再生用にデータをメモリ８に記憶してメモリ８から等倍速で読み出して原音再生を行う。リッピングは原音再生がメモリ８から読み出されて行われている間に行い、原音再生用のデータをＣＤ１３から読み込む際はリッピングを停止する。そして、原音再生は１トラックの再生が終わった時点でリッピングされているトラックまでサーチしてそのトラックを先頭から再生する。【選択図】図２
2008152894.tif 000002
【特許請求の範囲】
【請求項１】
複数の情報からなる情報群が記録された光ディスクから前記情報を等倍速よりも速い速度で間欠的に読み込む読み込み手段と、
前記読み込み手段が読み込んだ前記情報を所定量記憶する一時記憶手段と、
前記一時記憶手段に記憶した情報を等倍速で再生する再生手段と、
前記読み込み手段が読み込んだ前記情報を全て記憶する全記憶手段と、
前記読み込み手段が読み込んだ前記情報を前記一時記憶手段に所定量記憶させた後に、前記読み出し手段が読み出した前記情報を前記全記憶手段に記憶させる制御手段と、
を備えた光ディスク再生装置において、
前記制御手段が、前記再生手段が一つの前記情報群を再生終了した際に、前記全記憶手段への記憶を停止するとともに、前記全記憶手段に記憶させている情報の前記光ディスク上の位置の最も近くに先頭を有する前記情報群を前記読み込み手段に読み込ませ、前記一時記憶手段に記憶させることを特徴とする光ディスク再生装置。
【請求項２】
前記制御手段が、前記再生手段が一つの前記情報群を再生終了した際に、前記全記憶手段に記憶させている前記情報群の先頭から前記読み込み手段に読み込ませ、前記一時記憶手段に記憶させることを特徴とする請求項１に記載の光ディスク再生装置。
【請求項３】
前記制御手段が、前記再生手段が一つの前記情報群を再生終了した際に、前記全記憶手段に記憶させている前記情報群の次の前記情報群の先頭から前記読み込み手段に読み込ませ、前記一時記憶手段に記憶させることを特徴とする請求項１に記載の光ディスク再生装置。
【請求項４】
前記制御手段が、前記一時記憶手段に対して予め定めた閾値を設定し、前記一時記憶手段の残量が前記閾値以下になった場合は、前記全記憶手段への書き込みを停止し、前記一時記憶手段に記憶されている情報の続きを前記読み込み手段に読み込ませ前記一時記憶手段に記憶させることを特徴とする請求項１乃至３のうちいずれか一項に記載の光ディスク再生装置。
【請求項５】
前記再生手段が、前記光ディスクの先頭以外の所定位置から再生を開始することを特徴とする請求項１乃至４のうちいずれか一項に記載の光ディスク再生装置。
【請求項６】
複数の情報からなる情報群が記録された光ディスクから前記情報を等倍速よりも速い速度で間欠的に読み込み、読み込んだ前記情報を所定量記憶し、記憶された情報を再生するとともに、前記所定量記憶させた後に前記光ディスクに記録された前記情報を前記所定量の記憶とは別に全て記憶する光ディスク再生方法において、
一つの前記情報群を再生終了した際に、全ての情報の記憶を停止するとともに、前記光ディスクに記録された全ての情報の記憶を停止した前記光ディスク上の位置の近くに先頭を有する情報群を前記光ディスクから読み込んで、所定量記憶するように制御することを特徴とする光ディスク再生方法。
【請求項７】
複数の情報からなる情報群が記録された光ディスクから前記複数の情報を等倍速よりも速い速度で間欠的に読み込む読み込み手段を備えた光ディスク再生装置のコンピュータを、
前記読み込み手段が読み込んだ前記情報を所定量記憶する一時記憶手段と、
前記一時記憶手段に記憶した情報を等倍速で再生する再生手段と、
前記読み込み手段が読み込んだ前記情報を全て記憶する全記憶手段と、
前記読み込み手段が読み込んだ前記情報を前記一時記憶手段に所定量記憶させた後に、前記読み出し手段が読み出した前記情報を前記全記憶手段に記憶させる制御手段と
して機能させる光ディスク再生プログラムにおいて、
前記制御手段が、前記再生手段が一つの情報群を再生終了した際に、前記全記憶手段への記憶を停止するとともに、前記全記憶手段に記憶させている情報の前記光ディスク上の位置の最も近くに先頭を有する情報群を前記読み込み手段に読み込ませ、前記一時記憶手段に記憶させることを特徴とする光ディスク再生プログラム。
【請求項８】
請求項７に記載の光ディスク記録再生プログラムを格納したことを特徴とするコンピュータ読み取り可能な記録媒体。
【発明の詳細な説明】
【技術分野】
【０００１】
本発明は、光ディスクを再生する光ディスク再生装置、光ディスク再生方法、光ディスク再生プログラムおよび光ディスク再生プログラムを格納した記録媒体に関する。
【背景技術】
【０００２】
近年、ＣＤ（Compact Disc）などの光ディスクを再生速度よりも高速回転させ光ディスクに記録された音楽などの情報を読み込み圧縮などを行って高速にハードディスクなどに記録するリッピングと呼ばれる動作を行うことが多くなっている。
【０００３】
また、リッピングと再生を同時に行う技術としては、主にリッピングを先行して行い、リッピングされた情報を再生する方法と、ＣＤから読み出した情報（原音）を再生しつつ、リッピングも行う方法の２通りに分けられるが、前者では圧縮された情報を再生しているのでＣＤの原音よりも音質が落ちてしまう。後者の方法としては、例えば特許文献１に記載のデジタル情報記録再生装置が提案されている。特許文献１に記載のデジタル情報記録再生装置は、オーディオＣＤからデータを高速に読み出し、主記憶用メモリを介して、ハードディスクのバッファ専用記録領域に記憶して、バッファ専用記録領域からオーディオ再生のためのオーディオ再生レートでの読出しとリッピングのための高速読出しとを行う。オーディオ再生レートで読出したデータは主記憶用メモリの等速・同時再生用読出バッファでオーディオ再生用のオーディオデータに変換される。リッピングのために高速で読出されたデータは、主記憶用メモリの倍速エンコード用読出バッファを用いてデータ圧縮回路で圧縮される。
【特許文献１】特開２００５−２２８４２１号公報
【発明の開示】
【発明が解決しようとする課題】
【０００４】
しかしながら、特許文献１に記載のデジタル情報記録再生装置では、原音のデータとリッピングデータを同一に扱ってハードディスクに記録しているので、ハードディスクのバッファ専用領域の容量によってＣＤの倍速数に限界がある。つまり、高倍速でＣＤから読み出して高速にリッピングを行っても再生は等倍速で行う必要があるために、リッピングしている位置と再生している位置との差が広がってしまうので、その分を埋めるだけの容量がバッファ専用領域には必要となる。したがって、バッファ専用領域の容量によって倍速数が上げられないことがあり、すなわちデータを高速に読み出せないのでリッピングに時間がかかることがあった。
【０００５】
また、上述したようにリッピングしている位置と再生している位置との差が広がってしまうと、リッピング時と再生時とで光ピックアップを移動させる距離が長くなる（ロングサーチ）ことからサーチに時間がかかったり、このような動作が頻発すると光ピックアップを駆動する機構にも負担がかかるという問題があった。
【０００６】
そこで、本発明は、例えばＣＤの再生とリッピングを同時に行う際に、原音再生を行いつつ、高速にリッピングすることができ、さらに光ピックアップのロングサーチを少なくできる光ディスク再生装置、光ディスク再生方法、光ディスク再生プログラムおよび光ディスク再生プログラムを格納した記録媒体を提供することを課題とする。
【課題を解決するための手段】
【０００７】
上記課題を解決するために、請求項１に記載の光ディスク再生装置は、複数の情報からなる情報群が記録された光ディスクから前記情報を等倍速よりも速い速度で間欠的に読み込む読み込み手段と、前記読み込み手段が読み込んだ前記情報を所定量記憶する一時記憶手段と、前記一時記憶手段に記憶した情報を等倍速で再生する再生手段と、前記読み込み手段が読み込んだ前記情報を全て記憶する全記憶手段と、前記読み込み手段が読み込んだ前記情報を前記一時記憶手段に所定量記憶させた後に、前記読み出し手段が読み出した前記情報を前記全記憶手段に記憶させる制御手段と、を備えた光ディスク再生装置において、前記制御手段が、前記再生手段が一つの前記情報群を再生終了した際に、前記全記憶手段への記憶を停止するとともに、前記全記憶手段に記憶させている情報の前記光ディスク上の位置の最も近くに先頭を有する前記情報群を前記読み込み手段に読み込ませ、前記一時記憶手段に記憶させることを特徴としている。
【０００８】
請求項６に記載の光ディスク再生方法は、複数の情報からなる情報群が記録された光ディスクから前記情報を等倍速よりも速い速度で間欠的に読み込み、読み込んだ前記情報を所定量記憶し、記憶された情報を再生するとともに、前記所定量記憶させた後に前記光ディスクに記録された前記情報を前記所定量の記憶とは別に全て記憶する光ディスク再生方法において、一つの前記情報群を再生終了した際に、全ての情報の記憶を停止するとともに、前記光ディスクに記録された全ての情報の記憶を停止した前記光ディスク上の位置の近くに先頭を有する情報群を前記光ディスクから読み込んで、所定量記憶するように制御することを特徴としている。
【０００９】
請求項７に記載の光ディスク再生プログラムは、複数の情報からなる情報群が記録された光ディスクから前記複数の情報を等倍速よりも速い速度で間欠的に読み込む読み込み手段を備えた光ディスク再生装置のコンピュータを、前記読み込み手段が読み込んだ前記情報を所定量記憶する一時記憶手段と、前記一時記憶手段に記憶した情報を等倍速で再生する再生手段と、前記読み込み手段が読み込んだ前記情報を全て記憶する全記憶手段と、前記読み込み手段が読み込んだ前記情報を前記一時記憶手段に所定量記憶させた後に、前記読み出し手段が読み出した前記情報を前記全記憶手段に記憶させる制御手段として機能させる光ディスク再生プログラムにおいて、前記制御手段が、前記再生手段が一つの情報群を再生終了した際に、前記全記憶手段への記憶を停止するとともに、前記全記憶手段に記憶させている情報の前記光ディスク上の位置の最も近くに先頭を有する情報群を前記読み込み手段に読み込ませ、前記一時記憶手段に記憶させることを特徴としている。
【発明を実施するための最良の形態】
【００１０】
以下、本発明の一実施形態にかかる光ディスク再生装置を説明する。本発明の一実施形態にかかる光ディスク再生装置は、再生手段が一つの情報群の再生を終了した際に、制御手段が、全記憶手段への記憶を停止するとともに、全記憶手段に記憶させている情報の光ディスク上の位置の最も近くに先頭がある情報群を読み込み手段に読み込ませ、一時記憶手段に記憶させている。そして一時記憶手段に記憶された情報が再生手段によって再生される。このようにすることによって、一時記憶手段へ記憶した情報の再生（原音再生）と全記憶手段への記憶（リッピング）とを同時に行った際に、一時記憶手段に記憶した情報を再生手段で再生中に、全記憶手段への記憶が行えるので、高速にリッピングすることができ、原音再生が一つの情報群（１トラック）の再生を終了した際の全記憶手段へ記憶している情報の位置（トラックの途中位置）に近い情報群の先頭から再生を行うことで、原音再生とリッピングとの際の光ディスク上のアクセス位置が近づくのでロングサーチを少なくすることができる。
【００１１】
また、制御手段が、再生手段が一つの情報群を再生終了した際に、全記憶手段に記憶させている情報群の先頭から読み込み手段に読み込ませ、一時記憶手段に記憶させてもよい。このようにすることにより、原音再生とリッピングとの際の光ディスク上のアクセス位置が近づくのでロングサーチを少なくすることができる。
【００１２】
また、制御手段が、再生手段が一つの情報を再生終了した際に、全記憶手段に記憶させている情報群の次の情報群の先頭から読み込み手段に読み込ませ、一時記憶手段に記憶させてもよい。このようにすることにより、原音再生とリッピングとの際の光ディスク上のアクセス位置が近づくのでロングサーチを少なくすることができる。
【００１３】
また、制御手段が、一時記憶手段に対して予め定めた閾値を設定し、一時記憶手段の残量が閾値以下になった場合は、全記憶手段への書き込みを停止し、一時記憶手段に記憶されている情報の続きを読み込み手段に読み込ませ一時記憶手段に記憶させてもよい。このようにすることにより、原音再生が途切れることなくリッピングも同時に行うことができる。
【００１４】
また、再生手段が、光ディスクの先頭以外の所定位置から再生を開始してもよい。このようにすることにより、光ディスクからより高速に情報を読み込んだ際に原音再生とリッピングとの際の光ディスク上のアクセス位置が大きく離れないのでロングサーチを少なくすることができる。
【００１５】
また、本発明の一実施形態にかかる光ディスク再生方法は、一つの情報群の再生を終了した際に、全ての情報の記憶を停止するとともに、全ての情報を記憶させている途中の光ディスク上の位置の最も近くに先頭がある情報群を読み込み、所定量記憶させている。そして所定量記憶された情報が再生される。このようにすることによって、所定量へ記憶した情報の再生（原音再生）と全ての情報の記憶（リッピング）とを同時に行った際に、所定量記憶した情報を再生中に、全ての情報の記憶が行えるので、高速にリッピングすることができ、原音再生が一つの情報群（１トラック）の再生を終了した際の全ての情報を記憶している途中の位置（トラックの途中位置）に近い情報群の先頭から再生を行うことで、原音再生とリッピングとの際の光ディスク上のアクセス位置が近づくのでロングサーチを少なくすることができる。
【００１６】
また、本発明の一実施形態にかかる光ディスク再生プログラムは、再生手段が一つの情報群の再生を終了した際に、制御手段が、前記全記憶手段への記憶を停止するとともに、全記憶手段に記憶させている情報の光ディスク上の位置の最も近くに先頭がある情報群を読み込み手段に読み込ませ、一時記憶手段に記憶させている。そして一時記憶手段に記憶された情報が再生手段によって再生されるようにコンピュータに機能させる。このようにすることによって、一時記憶手段へ記憶した情報の再生（原音再生）と全記憶手段への記憶（リッピング）とを同時に行った際に、一時記憶手段に記憶した情報を再生手段で再生中に、全記憶手段への記憶が行えるので、高速にリッピングすることができ、原音再生が一つの情報群（１トラック）の再生を終了した際の全記憶手段へ記憶している情報の位置（トラックの途中位置）に近い情報群の先頭から再生を行うことで、原音再生とリッピングとの際の光ディスク上のアクセス位置が近づくのでロングサーチを少なくすることができる。
【００１７】
また、請求項７に記載の光ディスク再生プログラムを記録媒体に格納してもよい。このようにすることにより、光ディスク再生プログラムを機器に組み込む以外に単体でも流通させることができる。
【実施例】
【００１８】
本発明の一実施例にかかる光ディスク再生装置１を図１乃至図３を参照して説明する。光ディスク再生装置１は、ＤＶＤ（Digital Versatile Disc）、ＣＤ（Compact Disc）等の光ディスクが再生可能かつ再生している光ディスクからハードディスクへのリッピングも可能な装置であり、図１に示すようにディスクモータ２と、光ピックアップ３と、ＲＦアンプ４と、サーボ信号処理部５と、ドライバ６と、音声／映像信号処理部７と、メモリ８と、ハードディスク９と、ＤＡコンバータ１０と、マイクロコンピュータ１１と、音声信号／映像信号出力端子１２とを備えている。
【００１９】
ディスクモータ２は、光ディスク再生装置１にセットされた光ディスク１３を回転させるためのモータであり、スピンドルモータなどで構成されている。本実施例においては、等倍速の整数倍の速度で高速回転している。等倍速とはＣＤ‐ＤＡ（Compact Disc Digital Audio）が通常再生される回転数であり内周で５００ｒｐｍ程度、外周で２００ｒｐｍ程度である。
【００２０】
読み込み手段としての光ピックアップ３は、光ディスク１３に照射するレーザ光を発生させる図示しないレーザダイオードや、光ディスク１３上にレーザダイオードからのレーザ光を照射するための対物レンズ、サーボ信号処理部５からの信号によりフォーカス方向やトラッキング方向に対物レンズを駆動するためのアクチュエータおよび光ディスク１３から反射された反射光を受ける受光器などを備え、受光器の出力から光ディスク１３に記録されている映像や音楽などを含むＲＦ信号やフォーカスエラー信号およびトラッキングエラー信号などを生成し出力するＲＦアンプ４へ出力する。
【００２１】
ＲＦアンプ４は、光ピックアップ３から入力される信号を所定の値に増幅し、サーボ信号処理部５へ出力する。
【００２２】
サーボ信号処理部５は、ＲＦアンプ４から入力されるフォーカスエラー信号やトラッキングエラー信号などの制御信号を基に光ピックアップ３のアクチュエータを駆動させてフォーカスおよびトラッキングの制御などを行い光ディスク１３に記録された情報を正確に読めるようにする。さらに、光ディスク１３に記録された映像や音楽などを含むＲＦ信号をアナログ／デジタル変換して音声／映像信号処理部７へ出力する。
【００２３】
ドライバ６は、サーボ信号処理部５から入力された信号を増幅し、ディスクモータ２および光ピックアップ３へ出力する。
【００２４】
音声／映像信号処理部７は、サーボ信号処理部５から入力された信号にエラー訂正などを行った後復調や復号を行いメモリ８またはリッピングを行う場合はハードディスク９へ出力する。そしてマイクロコンピュータ１１からの要求に従ってメモリ８から読み出してＤＡコンバータ１０へ出力する。
【００２５】
一時記憶手段としてのメモリ８は、音声／映像信号処理部７で再生された音声などのデータを所定量（数秒ないし十秒程度）一時的に格納するためのメモリであり、半導体メモリで構成される。
【００２６】
全記憶手段としてのハードディスク９は、リッピング時に音声／映像信号処理部７で再生された音声などのデータをハードディスク９に格納するために音声であればＭＰ３（MPEG Audio Layer-3）やＡＡＣ（Advanced Audio Coding）などの符号化方式で圧縮符号化して記憶する。再生時には、マイクロコンピュータ１１の指示に従ってデータを読み出して復号しＤＡコンバータ１０に出力する。なお、圧縮符号化は行わずに音声／映像信号処理部７で復号したデータをそのまま記憶してもよい。
【００２７】
再生手段としてのＤＡコンバータ１０は、メモリ８に格納されたデータやハードディスク９から読み出されたデータが入力され、そのデジタル信号であるデータをアナログ信号に変換し音声信号／映像信号出力端子１２から出力する。
【００２８】
制御手段としてのマイクロコンピュータ１１は、ＣＰＵ（Central Processing Unit）と、ＲＡＭ（Random Access Memory）と、ＲＯＭ（Read Only Memory）とを内蔵し、光ディスク１３の挿入や排出、再生や停止などの各操作における光ディスク再生装置１全体の制御など行い、本実施例においては特にリッピングと再生を同時に行う際の制御も行う。
【００２９】
次に、図１に示すような構成からなる光ディスク再生装置１において、光ディスク１３としてＣＤ‐ＤＡフォーマットのＣＤ１３の再生（原音再生）とリッピングを同時に行う動作を図２に示すフローチャートを参照して説明する。図２に示したフローチャートは、マイクロコンピュータ１１のＲＯＭに記憶されている制御プログラムをマイクロコンピュータ１１のＣＰＵが実行することで実現される。
【００３０】
まず、ステップＳ１において、再生開始の指示がユーザなどによって図示しない操作部から指示されたか否かを判断し、再生開始の指示がされた場合（Ｙｅｓの場合）はステップＳ２に進み、そうでない場合（Ｎｏの場合）は再生指示がなされるまで本ステップで待機する。
【００３１】
次に、ステップＳ２において、ＣＤ１３から読み出したデータを圧縮符号化などを行わずに再生する原音再生を開始してステップＳ３に進む。原音再生は、高倍速で回転するＣＤ１３から情報群としてのトラックの情報としてのデータを光ピックアップ３、ＲＦアンプ４、サーボ信号処理部５、音声／映像信号処理部７を経由してメモリ８に記憶させるとともに、ＤＡコンバータ１０から再生速度（等倍速）でメモリ８から読み出してアナログ信号に変換し音声信号／映像信号出力端子１２から出力する。ここで、複数の情報からなる情報群とは、本実施例においては複数のデータから構成されているトラックを示している。勿論トラックに限らずチャプタやファイルなど複数の情報（データ）から構成されている単位であればよい。また、以降のステップでは、断りが無い限り原音の再生がメモリ８から読み出して行われている。また、原音再生が終了したトラックは再生終了であることを識別するために、トラック番号をマイクロコンピュータ１１のＲＡＭに保存する。
【００３２】
次に、ステップＳ３において、メモリ８がフル（メモリ８がＣＤ１３から読み込んだデータでいっぱいになった）か否かを判断して、フルの場合（Ｙｅｓの場合）はステップＳ４に進み、そうでない場合（Ｎｏの場合）は本ステップで待機する。
【００３３】
次に、ステップＳ４において、ＣＤ１３からメモリ８へのデータの書き込みを停止させてステップＳ５に進む。すなわち、サーボ信号処理部５のＣＤ１３からのデータの読み込みを停止するように指示をする。
【００３４】
次に、ステップＳ５において、全曲リッピングを開始またはリッピングを再開してステップＳ６に進む。すなわち、ＣＤ１３の先頭（再開の場合は停止位置）からデータを読み込んで、光ピックアップ３、ＲＦアンプ４、サーボ信号処理部５、音声／映像信号処理部７を経由してハードディスク９で圧縮符号化して記憶させる。
【００３５】
次に、ステップＳ６において、メモリ８の残量が予め定めた閾値以下になったか否かを判断し、閾値以下になった場合（Ｙｅｓの場合）はステップＳ７に進み、そうでない場合（Ｎｏの場合）は本ステップで待機する。
【００３６】
次に、ステップＳ７において、リッピングを停止するとともにＣＤ１３からメモリ８へのデータの読み込みを再開させてステップＳ８に進む。つまり、ハードディスク９に圧縮符号化および記憶を停止するように指示するとともに、メモリ８に記憶されているデータの続きのデータの位置に光ピックアップ３を移動させて読み出しを行うようにサーボ信号処理部５に指示をする。すなわち、一時記憶手段の残量が閾値以下になった場合は、全記憶手段への書き込みを停止し、一時記憶手段に記憶されている情報の続きを読み込み手段に読み込ませ一時記憶手段に記憶させている。
【００３７】
次に、ステップＳ８において、１トラックの原音再生が終了したか否かを判断し、終了した場合はステップＳ９に進み、そうでない場合はステップＳ３に戻る。
【００３８】
次に、ステップＳ９において、全トラックのリッピングが終了したか否かを判断し、終了した場合はステップＳ１０に進み、そうでない場合はステップＳ１２に進む。
【００３９】
次に、ステップＳ１０において、ＲＡＭに保存したトラック番号を参照してＣＤ１３のトラック中に原音再生していないトラックが有るか否かを判断して有る場合はステップＳ１１に進み、無い場合は本フローチャートを終了する。
【００４０】
次に、ステップＳ１１において、原音再生していない残りのトラックについてランダム再生にて原音再生を行う。
【００４１】
ステップＳ１２においては、リッピング停止およびリッピング位置のトラックを取得して取得したトラックの先頭から原音再生を行いステップＳ３に戻る。つまり、ハードディスク９に圧縮符号化および記憶を停止するように指示するとともに、停止したトラックの位置をハードディスク９から取得して、その取得したトラックの先頭に光ピックアップ３を移動させて読み出しを行うようにサーボ信号処理部５に指示をする。そして、ＣＤ１３から読み込んだデータをメモリ８に記憶して、ＤＡコンバータ１０が等倍速で読み出して原音再生を行う。すなわち、再生手段が一つの情報群を再生終了した際に、全記憶手段への記憶を停止するとともに、全記憶手段に記憶させている情報の光ディスク上の位置の最も近くに先頭を有する情報群（全記憶手段に記憶させている情報群の先頭）を読み込み手段に読み込ませ、一時記憶手段に記憶させている。
【００４２】
ここで、図２に示したフローチャートの具体的動作の一例を図３を参照して説明する。
【００４３】
図３はＣＤ１３にトラック１〜トラック８までの８トラックが記録されている場合の例である。まず、（ａ）に示したようにＣＤ１３から読み込んだデータをメモリ８に記憶しつつ原音再生をトラック１から開始する（ステップＳ１、Ｓ２）。そして、メモリ８がフルになった時点で（ｂ）に示すようにリッピングをトラック１から開始する（ステップＳ３〜Ｓ５）。
【００４４】
そして、メモリ８の残量を確認しながらＣＤ１３からの読み込みを原音再生とリッピングとで切替える（ステップＳ６、Ｓ７）。リッピングは、原音再生の等倍速よりも高速にデータをハードディスク９に記憶するので原音再生の位置を追い越し、原音再生が１トラック終了した時点では例えば図３（ｃ）に示したようにトラック４まで到達している。そこで、原音再生についてトラック１の次に再生するトラックをトラック４として（ｄ）に示したようにトラック４までサーチして原音再生を行う（ステップＳ８、Ｓ９、Ｓ１２）。つまり原音再生が１トラック終わった時点でリッピング位置の近くのデータを読み取るようにしているのでロングサーチを少なくすることができる。
【００４５】
そして、トラック４の原音再生が終了した際も同様にリッピングを行っていたトラック７までサーチして原音再生を行う（図３（ｅ）、（ｆ））。
【００４６】
そして、図３（ｇ）に示しようにトラック７の原音再生が終了したときに全トラックのリッピングが終了していた場合は、原音再生していない残りのトラック２，３，５，６，８に対してランダム再生を行う（ステップＳ１０、Ｓ１１）。
【００４７】
本実施例によれば、光ディスク再生装置１でＣＤ１３の原音再生とリッピングを同時に行う際に、原音再生用にデータをメモリ８に記憶してメモリ８から等倍速で読み出して原音再生を行う。リッピングは原音再生がメモリ８から読み出されて行われている間に行い、原音再生用のデータをＣＤ１３から読み込む際はリッピングを停止する。そして、原音再生は１トラックの再生が終わった時点でリッピングされているトラックまでサーチしてそのトラックを先頭から再生する。このようにしているので、原音再生とリッピングを同時に行うことができ、また、１トラック原音再生が終了する毎にリッピング位置と原音再生位置とを近づけるので光ピックアップ３のロングサーチを少なくすることができる。
【００４８】
なお、上述した実施例では、ステップＳ１１においてランダム再生を行っていたがランダム再生に限らずトラック番号の昇順や降順など任意の順序で再生してもよい。
【００４９】
また、１トラック終了後に原音再生するトラックはリッピング中のトラックでなくリッピング中のトラックの次のトラックでも良い。すなわち、全記憶手段に記憶させている情報群の次の情報群の先頭から読み込み手段に読み込ませてもよい。例えばリッピング中のトラックの後半をリッピングしている場合などは次のトラックの原音再生を開始した方が光ピックアップのサーチ距離を少なくすることができる。要するに、リッピングしている位置に最も近い位置に先頭を有するトラックの原音再生を行えば良い。
【００５０】
また、原音再生はＣＤ１３の先頭から開始しなくても良く、例えば、中間のトラックから開始しても良い。すなわち、光ディスクの先頭以外の所定位置から再生を開始してもよい。これは、例えば倍速数が大きい場合は、リッピング速度が速いためにＣＤ１３の先頭から開始するよりも中間のトラックから原音再生を開始して先頭から行うリッピングに追い越された以降は、リッピング位置付近にサーチを行うように動作させた方が光ピックアップのサーチ距離を少なくすることができるからである。
【００５１】
また、原音再生を１つのトラックを数秒から１０秒程度再生するスキャン再生で行っても良い。このようにすれば倍速数が高い場合に光ピックアップのサーチ距離を少なくすることができる。あるいは１つのトラックをリッピングが終了する時間だけ原音再生するようにしても良い。
【００５２】
前述した実施例によれば、以下の光ディスク再生装置と光ディスク再生方法および光ディスク再生プログラムが得られる。
【００５３】
（付記１）複数の情報からなるトラックが記録されたＣＤ１３から情報を等倍速よりも速い速度で間欠的に読み込む光ピックアップ３と、
光ピックアップ３が読み込んだ情報を所定量記憶するメモリ８と、
メモリ８に記憶した情報を等倍速で再生するＤＡコンバータ１０と、
光ピックアップ３が読み込んだ情報を全て記憶するハードディスク９と、
光ピックアップ３が読み込んだ情報をメモリ８に所定量記憶させた後に、光ピックアップ３が読み出した前記情報をハードディスク９に記憶させるマイクロコンピュータ１１と、
を備えた光ディスク再生装置１において、
マイクロコンピュータ１１が、ＤＡコンバータ１０が一つのトラックを再生終了した際に、ハードディスク９への記憶を停止するとともに、ハードディスク９に記憶させている情報のＣＤ１３上の位置の最も近くに先頭を有するトラックを光ピックアップ３に読み込ませ、メモリ８に記憶させることを特徴とする光ディスク再生装置１。
【００５４】
この光ディスク再生装置１によれば、メモリ８へ記憶した情報の再生（原音再生）とハードディスク９への記憶（リッピング）とを同時に行った際に、メモリ８に記憶した情報をＤＡコンバータ１０で再生中に、ハードディスク９への記憶が行えるので、高速にリッピングすることができ、原音再生が１トラックの再生を終了した際のハードディスク９へ記憶している情報の位置に近いトラックの先頭から再生を行うことで、原音再生とリッピングとの際のＣＤ１３上のアクセス位置が近づくのでロングサーチを少なくすることができる。
【００５５】
（付記２）複数の情報からなるトラックが記録されたＣＤ１３から情報を等倍速よりも速い速度で間欠的に読み込み、読み込んだ情報を所定量記憶し、記憶された情報を再生するとともに、所定量記憶させた後にＣＤ１３に記録された情報を所定量の記憶とは別に全て記憶する光ディスク再生方法において、
一つのトラックを再生終了した際に、全ての情報の記憶を停止するとともに、ＣＤ１３に記録された全ての情報の記憶を停止したＣＤ１３上の位置の近くに先頭を有するトラックをＣＤ１３から読み込んで、所定量記憶するように制御することを特徴とする光ディスク再生方法。
【００５６】
この光ディスク再生方法によれば、所定量へ記憶した情報の再生（原音再生）と全て情報の記憶（リッピング）とを同時に行った際に、所定量記憶した情報を再生中に、全ての情報の記憶が行えるので、高速にリッピングすることができ、原音再生が１トラックの再生を終了した際の全ての情報を記憶している途中の位置に近いトラックの先頭から再生を行うことで、原音再生とリッピングとの際のＣＤ１３上のアクセス位置が近づくのでロングサーチを少なくすることができる。
【００５７】
（付記３）複数の情報からなるトラックが記録されたＣＤ１３からの情報を等倍速よりも速い速度で間欠的に読み込む光ピックアップ３を備えた光ディスク再生装置１のコンピュータを、
光ピックアップ３が読み込んだ情報を所定量記憶するメモリ８と、
メモリ８に記憶した情報を等倍速で再生するＤＡコンバータ１０と、
光ピックアップ３が読み込んだ情報を全て記憶するハードディスク９と、
光ピックアップ３が読み込んだ情報をメモリ８に所定量記憶させた後に、光ピックアップ３が読み出した情報をハードディスク９に記憶させるマイクロコンピュータ１１と
して機能させる光ディスク再生プログラムにおいて、
マイクロコンピュータ１１が、ＤＡコンバータ１０が一つのトラックを再生終了した際に、ハードディスク９への記憶を停止するとともに、ハードディスク９に記憶させている情報のＣＤ１３上の位置の最も近くに先頭を有するトラックを光ピックアップ３に読み込ませ、メモリ８に記憶させることを特徴とする光ディスク再生プログラム。
【００５８】
この光ディスク再生プログラムによれば、メモリ８へ記憶した情報の再生（原音再生）とハードディスク９への記憶（リッピング）とを同時に行った際に、メモリ８に記憶した情報をＤＡコンバータ１０で再生中に、ハードディスク９への記憶が行えるので、高速にリッピングすることができ、原音再生が１トラックの再生を終了した際のハードディスク９へ記憶している情報の位置に近いトラックの先頭から再生を行うことで、原音再生とリッピングとの際のＣＤ１３上のアクセス位置が近づくのでロングサーチを少なくすることができる。
【００５９】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００６０】
【図１】本発明の一実施例にかかる光ディスク再生装置のブロック図である。
【図２】図１に示された光ディスク再生装置の第１の実施例における光ディスクの原音再生とリッピングを同時に行う動作を示したフローチャートである。
【図３】図２に示したフローチャートの動作の一例を示した説明図である。
【符号の説明】
【００６１】
１        光ディスク再生装置
３        光ピックアップ（読み込み手段）
８        メモリ（一時記憶手段）
９        ハードディスク（全記憶手段）
１０      ＤＡコンバータ（再生手段）
１１      マイクロコンピュータ（制御手段）
１３      ＣＤ（光ディスク）
【図１】
2008152894.tif 000003
【図２】
2008152894.tif 000004
【図３】
2008152894.tif 000005